(57)【要約】【課題】個々の画素の画素値に影響されずに類似画像領域を分割し、分割精度を向上させることができる画像領域分割装置を提供する。【解決手段】ＲＧＢ表色系の入力画像の画素値を色相、彩度、明度の表色系に変換し、該変換された表色系空間をＫ個の基本色の領域に分ける表色系変換部２０４と、前記入力画像を部分領域に分割する処理および階層化が施された前記各部分領域における、基本色が同一で連続している領域を同一領域と見なしてマージし、画像領域に分割する処理を行なう分割部２０５と、分割された部分領域を任意に設定した領域単位数で階層構造化する階層構造化部２０６と、前記各領域毎に属する基本色を決定する色差計算部２０７、ヒストグラム計算部２０８、基本色決定部２０９と、前記各部分領域を、前記基本色決定部２０９により決定された基本色で埋めて縮色画像を作成する処理を行なう縮色処理部２１０とを備える。【選択図】図１
2011048620.tif 000002
【特許請求の範囲】
【請求項１】
ＲＧＢ表色系で入力された画像の画素値を色の知覚に対しほぼ均等な他の表色系に変換し、色差を利用して類似した基本色を持つ画素・部分領域を同一領域とみなして画像を分割する画像領域分割装置であって、
ＲＧＢ表色系で入力された画像の画素値を色相、彩度、明度の表色系に変換し、該変換された表色系空間をＫ個の基本色の領域に分ける表色系変換手段と、
前記入力画像の縦横の各辺（ｐ，ｑ）を、Ｍn≦ｐ，ｑとなるようにＭnの矩形部分領域に分割する処理と、画像を（Ｍn）2個の部分領域に分割する処理と、階層化が施された前記各部分領域における、基本色が同一で連続して隣接している領域を同一領域と見なしてマージし、画像領域に分割する処理とを行なう分割手段と、
前記分割手段により分割された画像の部分領域を、任意に設定した領域単位数で階層構造化する階層構造化手段と、
前記階層構造化手段により階層化された各部分領域内の各画素値と前記表色系変換手段により領域分けされたＫ個の基本色との色差を求める処理と、前記各矩形部分領域単位で前記色差距離の最も小さい基本色に属するとする基本色ヒストグラムを作成する処理と、前記作成されたヒストグラムの最大値をとる色を当該部分領域の基本色と決定する処理とを行なう基本色決定手段と、
前記各部分領域を、前記基本色決定手段により決定された基本色で埋めて、当該基本色に置き換えて縮色画像を作成する処理を行なう縮色処理手段と、
前記各階層の各部分領域について、前記基本色決定手段による当該部分領域の基本色と決定する処理、前記縮色処理手段による縮色画像を作成する処理および前記分割手段による画像領域に分割する処理を実行して得られた画像分割領域毎に、画像および管理データを管理する管理テーブルを作成するテーブル作成手段と、を備えたことを特徴とする画像領域分割装置。
【請求項２】
予め表現したい縮色数が設定され、前記設定された縮色数となるまで、前記各階層の各部分領域について、前記基本色決定手段による当該部分領域の基本色と決定する処理、前記縮色処理手段による縮色画像を作成する処理および前記分割手段による画像領域に分割する処理を繰り返し実行して画像分割領域を得ることを特徴とする請求項１に記載の画像領域分割装置。
【請求項３】
前記基本色決定手段は、前記作成された基本色ヒストグラムの最大値をとり、且つ該最大値が閾値Ｈ以上である色を当該部分領域の基本色と決定することを特徴とする請求項１又は２に記載の画像領域分割装置。
【請求項４】
ＲＧＢ表色系で入力された画像の画素値を色の知覚に対しほぼ均等な他の表色系に変換し、色差を利用して類似した基本色を持つ画素・部分領域を同一領域とみなして画像を分割する画像領域分割方法であって、
表色系変換手段が、ＲＧＢ表色系で入力された画像の画素値を色相、彩度、明度の表色系に変換するステップと、
前記変換された表色系空間をＫ個の基本色の領域に分けるステップと、
分割手段が、前記入力画像の縦横の各辺（ｐ，ｑ）を、Ｍn≦ｐ，ｑとなるようにＭnの矩形部分領域に分割するステップと、
画像を（Ｍn）2個の部分領域に分割するステップと、
階層構造化手段が、前記分割手段より分割された画像の部分領域を、任意に設定した領域単位数で階層構造化する階層構造化ステップと、
基本色決定手段が、前記階層構造化手段により階層化された各部分領域内の各画素値と前記表色系変換手段により領域分けされたＫ個の基本色との色差を求めるステップと、
前記各矩形部分領域単位で前記色差距離の最も小さい基本色に属するとする基本色ヒストグラムを作成するステップと、
前記作成されたヒストグラムの最大値をとる色を当該部分領域の基本色と決定する基本色決定ステップと、
縮色処理手段が、前記各部分領域を、前記基本色決定手段により決定された基本色で埋めて、当該基本色に置き換えて縮色画像を作成する処理を行なう縮色処理ステップと、
前記基本色決定ステップ、縮色処理ステップおよび前記分割手段が行う、階層化が施された前記各部分領域における、基本色が同一で連続して隣接している領域を同一領域と見なしてマージし、画像領域に分割する画像領域分割ステップを、前記各階層の各部分領域について実行して画像分割領域を得るステップと、
テーブル作成手段が、前記得られた画像分割領域毎に、画像および管理データを管理する管理テーブルを作成するテーブル作成ステップと、を備えたことを特徴とする画像領域分割方法。
【請求項５】
予め表現したい縮色数が設定され、前記設定された縮色数となるまで、前記基本色決定ステップ、縮色処理ステップおよび画像領域分割ステップとを、繰り返し実行して画像分割領域を得ることを特徴とする請求項４に記載の画像領域分割方法。
【請求項６】
前記基本色決定ステップは、前記作成された基本色ヒストグラムの最大値をとり、且つ該最大値が閾値Ｈ以上である色を当該部分領域の基本色と決定することを特徴とする請求項４又は５に記載の画像領域分割方法。
【請求項７】
コンピュータを請求項１ないし３のいずれか１項に記載の各手段として機能させる画像領域分割プログラム。
【発明の詳細な説明】
【技術分野】
【０００１】
本発明は、画像処理技術を使って画像中の類似している領域単位に画像を分割する技術に関する。
【背景技術】
【０００２】
カラー画像中で同じ領域または類似してみえる領域をまとめて抽出し、内容理解を行う場合や、類似した画像領域を含む他の画像を見つけ出したい場合に、
画像を色、形やテクスチャなどが同一と見なせる領域を一纏りに抽出することが必要となる。このために行うのが画像領域分割である。
【０００３】
例えば、画像中から、人物領域を抽出したり、飛行機や車など特定の物体の領域を抽出したり、文字を背景画像から抽出する技術がある。この技術としては特許文献１の画像領域分割装置が公知となっている。
【０００４】
特許文献１の技術は、文字領域を背景画像から抽出する技術であり、カラー画像をＲＧＢ表色系からＨＳＩ（ＨＳＢと同一）表色系に変換し、設定閾値により輝度空間を分割して２値化する。分割領域内で、彩度エッジ強度の高い画素が設定個数以上存在するかを検出し、彩度空間を分割する。各領域に対して、彩度平均値が設定閾値以上で彩度分散値が設定閾値以下かを判断し、それらを満たす領域に対して色相エッジ強度の高い画素が設定個数以上存在する領域を抽出し、複数の色相値閾値による色相空間を分割する領域分割を行っている。
【先行技術文献】
【特許文献】
【０００５】
【特許文献１】特開平１０−６６１００号公報
【発明の概要】
【発明が解決しようとする課題】
【０００６】
しかしながら、特許文献１の手法は、文字領域の輪郭線を抽出するために、輝度、彩度、色相の順番に処理を実施しており、色領域を均等に扱っていない。
このため、色差を均等に感じる色度を用いた画像領域の分割手法とはなっていない。
【０００７】
本発明は、このような事情に鑑みてなされたものであり、その目的は、色の知覚を反映した画像領域分割を行い、個々の画素の画素値に影響されずに類似画像領域を分割することによって、分割精度を向上させることができる画像領域分割装置、方法、プログラムを提供することにある。
【課題を解決するための手段】
【０００８】
本発明は、人間の知覚に対しほぼ均等なスケールを持つ空間内に画像中の画素を配置し、その中で、各画素の色の色差を反映した人間の感覚とあった画像演算を反映した色を持つ代表画像に縮色させることで、個々の画素の画素値に影響されることなく、類似画像領域を分割するように構成した。
【０００９】
具体的には、ＲＧＢ表色系で入力された画像の画素値を色の知覚に対しほぼ均等な他の表色系（例えば、ＨＳＢ表色系、Ｌ*ｕ*ｖ*表色系あるいはＬ*ａ*ｂ*表色系）に変換し、色差を利用して類似した基本色を持つ画素・部分領域を同一領域とみなして画像を分割する方法であって、
ＲＧＢ表色系から色相、彩度、明度の表色系（例えば、ＨＳＢ表色系、Ｌ*ｕ*ｖ*表色系あるいはＬ*ａ*ｂ*表色系）に変換する表色系変換処理と、
変換された表色系空間をＫ個の基本色の領域に分ける基本色分割処理と、
Ｍn≦ｐ，ｑ（例えば２n）となるように画像の縦横の各辺（ｐ，ｑ）をＭnの矩形部分領域に分割する部分領域分割処理と、
画像を縦横均等にＭ2（例えば４）分割する処理を階層的に繰り返す階層化処理と、
各矩形部分領域単位にＫ個の基本色との色差距離の最も近い基本色とする基本色ヒストグラムを作成する処理と、
基本色ヒストグラムで最大値を１つ取る基本色で（最大値が複数ある時は最初に割り付けられたもの）、且つ最大値が閾値Ｈ以上の値をもつ場合に、当該部分領域をその基本色と見なす（最大値が閾値Ｈ未満の場合は該当無しとする）処理と、
部分領域を当該基本色で埋めて当該基本色に置き換え、縮色画像を作成する処理と、
その階層において、同一基本色で且つ連続して隣接している領域を同一領域と見なして、マージし、画像領域に分割する処理と、
分割領域毎に蓄積や表示ができるように管理データを管理する管理テーブルを作成する処理と、
画像と管理データを蓄積する処理と、を実行するものである。
【発明の効果】
【００１０】
（１）請求項１〜７に記載の発明によれば、色の知覚を反映した画像領域分割を階層構造ごとに行うため、多くの分割種類を持つ縮色図を簡単に作成することができ、画像領域の分割精度を向上させることができる。
（２）請求項２、５に記載の発明によれば、設定された縮色数となった時点で処理を停止することができ、処理時間を短縮することができる。
【図面の簡単な説明】
【００１１】
【図１】本発明の実施形態に係る画像領域分割装置の一構成例を示すブロック図。
【図２】本発明の実施形態に係る画像領域分割方法の処理を示すフローチャート。
【図３】本発明の実施形態に係る階層構造化の例を示す説明図。
【図４】本発明の縮色処理を用いた画像分割方法の例を示し、（ａ）は原画像例の説明図、（ｂ）は縮色による画像領域分割画像例の説明図。
【発明を実施するための形態】
【００１２】
以下、図面を参照しながら本発明の実施の形態を説明するが、本発明は下記の実施形態例に限定されるものではない。図１は本発明の画像領域分割装置の一実施形態例を示すブロック図である。
【００１３】
図１において、２００は本発明の画像領域分割装置であり、２０１は外部の、例えばメモリ、画像データベースなどに蓄積されたＲＧＢ表色系の入力画像を示している。
【００１４】
２０２は、入力画像２０１を取り込む入力部、２０３は画像領域分割装置２００内の各部の制御を行う制御部である。
【００１５】
２０４は、ＲＧＢ表色系で入力された画像の画素値を色相、彩度、明度の表色系に変換し、該変換された表色系空間をＫ個の基本色の領域に分ける表色系変換手段としての表色系変換部である。
【００１６】
２０５は、後述の分割処理を行う分割手段としての分割部である。
【００１７】
２０６は、前記分割部２０５により分割された画像の部分領域を、任意に設定した領域単位数で階層構造化して階層数Ｃを求める階層構造化手段としての階層構造化部である。
【００１８】
２０７は、前記階層構造化部２０６により階層化された各部分領域内の各画素値と前記表色系変換部２０４により領域分けされたＫ個の基本色との色差を求める色差計算部である。
【００１９】
２０８は、前記各部分領域単位で前記色差距離の最も小さい基本色に属するとする基本色ヒストグラムを作成するヒストグラム計算部である。
【００２０】
２０９は、前記作成されたヒストグラムの最大値をとる色を当該部分領域の基本色と決定する基本色決定部である。
【００２１】
前記色差計算部２０７、ヒストグラム計算部２０８および基本色決定部２０９によって、本発明の基本色決定手段を構成している。
【００２２】
２１０は、前記各部分領域を、前記基本色決定部２０９により決定された基本色で埋めて、当該基本色に置き換えて縮色画像を作成する処理を行なう縮色処理手段としての縮色処理部である。
【００２３】
２１１は、後述の処理の実行を経て得られた画像分領域毎に、画像および管理データを管理する管理テーブルを作成するテーブル作成手段としてのテーブル作成部である。
【００２４】
２１２は画像を蓄積する画像蓄積部、２１３は管理データを蓄積する管理データ蓄積部、２１４は後述する縮色画像の表示および階層番号、縮色数のインデックス表示を行なう表示部である。
【００２５】
前記入力部２０２、制御部２０３、表色系変換部２０４、分割部２０５、階層構造化部２０６、色差計算部２０７、ヒストグラム計算部２０８、基本色決定部２０９、縮色処理部２１０およびテーブル作成部２１１の各機能は、例えばコンピュータにより達成される。
【００２６】
図２は本発明の画像領域分割方法の一実施形態例を示すフローチャートであり、ステップＳ１０１（スタート）からステップＳ１１８（エンド）までの各処理が実行される。
【００２７】
図２において、Ｓ１０２は画像を入力する処理である。  
【００２８】
Ｓ１０３は画像をＲＧＢ表色系から表色系を変換する処理（ＨＳＢ表色系，Ｌ*ｕ*ｖ*表色系，またはＬ*ａ*ｂ*表色系に変換する処理）である。
【００２９】
Ｓ１０４はＫ個の基本色に分ける処理、表色系の各軸を均等分割しＫ個に分ける処理である。
【００３０】
Ｓ１０５は画像の縦横の各辺（ｐ，ｑ）をＭnに分割する処理（ただし、Ｍn≦ｐ，ｑ）である。
【００３１】
Ｓ１０６は画像を（Ｍn）2個の部分領域に分割する処理である。
【００３２】
Ｓ１０７は画像をＭ×Ｍ単位の部分領域で扱う階層処理で、Ｍ×Ｍ単位を１つの領域として、その領域を更にＭ×Ｍ単位に扱うという様に階層構造化し、階層数（Ｃ）を求める処理である。
【００３３】
Ｓ１０８は初期値設定処理（領域番号ｂ＝０、階層番号ｃ＝１、基本色数ｋ＝Ｋ、縮色数ｄ＝Ｄ１、ただし、Ｄ１≦Ｋ）である。
【００３４】
Ｓ１０９は最終階層が１つの画像全体となるまで全ての階層を処理したかを判断する処理である。
【００３５】
Ｓ１１０は領域番号をインクリメントする処理（ｂ＝ｂ＋１）である。
【００３６】
Ｓ１１１は、各領域毎に属する基本色を決定する処理であり、各表色系において、各画素とＫ個の基本色との色差を求め、最も距離の小さい基本色に属するとする基本色ヒストグラムを作成し、最大値を１つ取る基本色で（最大値が複数ある時は最初に割り付けられたもの）、且つ最大値が閾値Ｈ以上の値を持つ場合に、当該領域をその基本色とし、基本色ヒストグラムの最大値が閾値Ｈ未満の場合、基本色は該当無しとする。
【００３７】
Ｓ１１２は該当する画素、領域を全て処理したかを判断する処理である。
【００３８】
Ｓ１１３は各領域を基本色で埋めた縮色画像を作成する処理である。
【００３９】
Ｓ１１４は基本色数ｆｃ（ｃは階層番号）をセットし、階層番号をインクリメントする処理（ｃ＝ｃ＋１）である。
【００４０】
Ｓ１１５はその階層において同一基本色で且つ連続している領域に分割する処理である。
【００４１】
Ｓ１１６は分割領域毎に蓄積や表示ができるように管理テーブルを作成する処理である。
【００４２】
Ｓ１１７は画像と管理データを蓄積する処理である。
【００４３】
次に、図１の画像領域分割装置の動作を図２のフローチャートに沿って説明する。先ず、画像を入力する処理Ｓ１０２を実行し、入力部２０２によって、ＲＧＢ表色系の入力画像２０１を入力する。制御部２０３は、表色系変換部２０４に対して、入力画像２０１の各画素値をＲＧＢ表色系から表色系を変換する処理Ｓ１０３（ＨＳＢ表色系，Ｌ*ｕ*ｖ*表色系，またはＬ*ａ*ｂ*表色系に変換する処理）を実行させる。そして表色系変換部２０４は、色相（Ｈ，Ｕ*、ａ*）、色彩（Ｓ，ｖ*，ｂ*）、輝度（Ｂ，Ｌ*，Ｌ*）の座標系において、表色系の各軸を均等分割しＫ個の基本色に分ける処理Ｓ１０４を実行する。
【００４４】
次に、制御部２０３は、分割部２０５に対して、Ｍn≦ｐ，ｑとなるように（例えば２n）画像の縦横の各辺（ｐ，ｑ）をＭnに分割する処理Ｓ１０５、画像を（Ｍn）2個の部分領域に分割する処理Ｓ１０６を実行させる。その後、制御部２０３は、階層構造化部２０６に対して、画像をＭ×Ｍ（例えば２×２）単位の部分領域で扱い、更にＭ×Ｍ単位を１つの領域として、その領域をＭ×Ｍ単位に扱うという様に階層構造化する処理Ｓ１０７を実行させる。
【００４５】
図３（ａ）〜（ｄ）に、Ｍ＝２、ｎ＝３、ｐ＝ｑ＝８の場合の画像の階層化の例を示す（図中のＣは階層数である）。まず、図３（ａ）に示すように、画像をＳ１０６で８×８の６４個に分割する。この状態がＳ１０７の初期状態Ｃ＝１となる。Ｃ＝１では、画像を８×８の６４個の部分領域に分割している。
【００４６】
次に図３（ｂ）のＣ＝２の階層は、２×２単位（図３（ａ）の太線で囲まれた各部分）を１つの領域とし、その領域単位に画像を分割した例であり、４×４の１６個の部分領域として扱う。
【００４７】
同様に、次の図３（ｃ）のＣ＝３では、図３（ｂ）のＣ＝２の階層の１領域を２×２単位で扱い、画像を２×２の４個の部分領域に分割している。
【００４８】
最後に図３（ｄ）のＣ＝４は、何も分割しない元画像全体が１つの領域となる。
【００４９】
このように図３の例では、Ｓ１０７で行なう階層化は、Ｃ＝１からＣ＝４の全部で４種類の階層に分けられる。
【００５０】
以上のように階層構造化する処理Ｓ１０７では、図３で述べたように、階層構造化することによって階層数Ｃを求めている。
【００５１】
Ｓ１０８以降は、各階層毎に縮色画像処理を実施する。  
【００５２】
制御部２０３は、初期値設定処理Ｓ１０８として、領域番号ｂ＝０，階層番号ｃ＝１，基本色数ｋ＝Ｋ、縮色数ｄ＝Ｄ１を設定する。ただしＤ１≦Ｋとする。
【００５３】
そして、階層処理終了判断として、最終階層が１つの画像全体となるまで全ての階層を処理したかをＳ１０９で判断し、処理が完了した場合は、Ｓ１１６に移るが、未処理の場合には制御部２０３が領域番号をインクリメントし（Ｓ１１０）、その後色差計算部２０７、ヒストグラム計算部２０８および基本色決定部２０９において、次の処理Ｓ１１１を実行する。
【００５４】
処理Ｓ１１１では、まず前記部分画像領域毎に、その領域内の各画素値とＫ個の基本色との色差を色差計算部２０７によって計算し、最も距離の小さい基本色に属するとする基本色ヒストグラムをヒストグラム計算部２０８によって作成する。
【００５５】
その後、基本色決定部２０９において、最大値を取る基本色で、且つ当該領域のヒストグラム数の閾値Ｈ以上の値を持つ場合に、当該領域をその基本色とする処理を実行する。この際、基本色ヒストグラムの最大値が閾値Ｈ未満の場合には、基本色は該当無しとする。
【００５６】
このとき、基本色ヒストグラムの最大値が閾値Ｈ以上であるかを考慮せずに、最大値を基本色としても良い。
【００５７】
次に、制御部２０３は、該当する画素、領域を全て処理したかを判断する処理Ｓ１１２を実行し、処理が終了していない場合には、Ｓ１１０からＳ１１１の処理を繰り返す。
【００５８】
全ての画素、領域の処理が終わったら、各画素の類似している基本色への当てはめを終了し、次に縮色処理部２１０において、各領域を基本色で埋めた縮色画像を作成する処理Ｓ１１３を実行する。
【００５９】
次に制御部２０３は、基本色数ｆｃ（ｃは階層番号）をセットし、階層番号をインクリメント（ｃ＝ｃ＋１）する処理（Ｓ１１４）を実行する。
【００６０】
その後、分割部２０５において、その階層において同一基本色で且つ連続している領域を同一領域と見なしてマージし、画像領域に分割する処理Ｓ１１５を実行させる。図４に縮色処理した画像分割結果の例を示す。
【００６１】
図４によれば、（ａ）の原画像が縮色処理によって（ｂ）に示すように分割されることがわかる。
【００６２】
さらに、制御部２０３は、最終階層が１つの画像全体になるまで全ての階層を処理したかをＳ１０９で判断し、終了していない場合には、再度、Ｓ１１０からＳ１１５の処理を繰り返す。
【００６３】
全ての階層処理を終了した場合には、テーブル作成部２１１において、分割領域毎に画像蓄積部２１２や管理データ蓄積部２１３で蓄積する処理や表示部２１４で表示ができるように管理テーブルを作成する処理Ｓ１１６を実行し、制御部２０３は、Ｓ１１７において、画像蓄積部２１２や管理データ蓄積部２１３にデータを蓄積すると共に、表示部２１４に、各階層毎に、縮色画像の表示および階層番号ｃ、縮色数ｄをインデックス表示する。
【００６４】
以上により、色の知覚に対しほぼ均等な表色系において、人間の感覚にあった画像領域に画像領域分割を行うことが可能となる。
【００６５】
なお、前記実施例では、基本色をＫ個設定する方法を前記Ｓ１０４で説明したように、表色系の各軸を均等分割することで実現する方法を示したが、必ずしも表色系の各軸を均等に分割する必要はなく、ユーザが決定した任意の基本色に分けても良い。また、表色系の３軸とも利用する必要もなく、色相の軸だけを用いる、あるいは、色相と色彩の２軸だけを用いても良い。
【００６６】
また前記実施例では、前記Ｓ１０７で説明したように、領域の階層化の単位をＭ×Ｍ単位（例えば２×２）で階層化を行う例を示したが、これは、２×３など、のＬ×Ｍの形式でも良い。ただし、画像全体が分割単位で割れているようにしないと、全体が１となるような階層化は出来ない。
【００６７】
縮色画像としては、全体が１である必要はないので、階層処理を途中で終了して構わない。また、計算処理上は、サブピクセルが発生しないようになっていると扱いやすい。計算機は２のべき乗で処理が行われることが一般的であるため、画像サイズを決めるときも２のべき乗で決定されていることが多い。このため、本実施例でも２を単位とした２×２の領域を例に取り上げた。
【００６８】
また、予め表現したい縮色数ｄを設定し、前記設定された縮色数となるまで前記階層処理（Ｓ１１０〜Ｓ１１５）を繰り返し実行して画像分割領域を得るようにしてもよい（請求項２）。すなわち階層処理（Ｓ１１０〜Ｓ１１５）により、その縮色数以下になったときの縮色数（もしくは、その縮色数以下になる一つ前の縮色数）に画像領域を構成する縮色数となった場合に、そのときの縮色数を推奨縮色数として、当該縮色数で画像分割し、ユーザに示しても良い。その際、設定縮色数以下となったところで、処理を停止すると、処理時間を短縮できる効果も生じる。
【００６９】
また、本実施形態の画像領域分割装置における各手段の一部もしくは全部の機能をコンピュータのプログラムで構成し、そのプログラムをコンピュータを用いて実行して本発明を実現することができること、本実施形態の画像領域分割方法における手順をコンピュータのプログラムで構成し、そのプログラムをコンピュータに実行させることができることは言うまでもなく、コンピュータでその機能を実現するためのプログラムを、そのコンピュータが読み取り可能な記録媒体、例えばＦＤ（Ｆｌｏｐｐｙ（登録商標）  Ｄｉｓｋ）や、ＭＯ（Ｍａｇｎｅｔｏ−Ｏｐｔｉｃａｌ  ｄｉｓｋ）、ＲＯＭ（Ｒｅａｄ  Ｏｎｌｙ  Ｍｅｍｏｒｙ）、メモリカード、ＣＤ（Ｃｏｍｐａｃｔ  Ｄｉｓｋ）−ＲＯＭ、ＤＶＤ（Ｄｉｇｉｔａｌ  Ｖｅｒｓａｔｉｌｅ  Ｄｉｓｋ）−ＲＯＭ、ＣＤ−Ｒ、ＣＤ−ＲＷ、ＨＤＤ、リムーバブルディスクなどに記録して、保存したり、配布したりすることが可能である。また、上記のプログラムをインターネットや電子メールなど、ネットワークを通して提供することも可能である。
【符号の説明】
【００７０】
２００…画像領域分割装置
２０１…入力画像
２０２…入力部
２０３…制御部
２０４…表色系変換部
２０５…分割部
２０６…階層構造化部
２０７…色差計算部
２０８…ヒストグラム計算部
２０９…基本色決定部
２１０…縮色処理部
２１１…テーブル作成部
２１２…画像蓄積部
２１３…管理データ蓄積部
２１４…表示部
【図１】
2011048620.tif 000003
【図２】
2011048620.tif 000004
【図３】
2011048620.tif 000005
【図４】
2011048620.tif 000006